(57)【要約】【課題】本発明は携帯電話機に係り、薄型を維持したまま携帯電話用情報カードが挿入されるようにしたことを課題とする。【解決手段】加入者識別用カード装着機構５０を、携帯電話機３０のうち、バッテリーパック装着部４５の隣りの部分でありバッテリーパック装着部４５の底に対して凸となっているバッテリーパック装着隣接部４７の内部に設ける。【選択図】図１
2010022024.tif 000002
【特許請求の範囲】
【請求項１】
バッテリーパックが取付けられるバッテリーパック装着部と、
前記バッテリーパック装着部の底面の側壁とを有し、
前記側壁は、携帯電話用情報を記憶するカード部材が挿入されるカード部材挿入開口があり、
前記カード部材が、前記バッテリーパック装着部側から前記カード部材挿入開口を通して挿入されて前記バッテリーパックと重ならない位置まで装着され、且つ、前記バッテリーパック装着部に前記バッテリーパックが装着された場合に、前記カード部材挿入開口に対し前記カード部材を挿脱不可とする構成としたことを特徴とする携帯電話機。
【請求項２】
前記カード部材挿入開口を通して挿入されているカード部材の前記バッテリーパック装着部側の面と、前記バッテリーパック装着部に装着されたバッテリーパックの前記側壁側の面とが近接することを特徴とした請求項１記載の携帯電話機。
【発明の詳細な説明】
【技術分野】
【０００１】
本発明は携帯電話機に係り、特に、ＧＳＭ（Global  System  for  Mobile  Communication)  に適用される携帯電話機に関する。
【０００２】
近年、わが国において、携帯電話機を使用する通信のシステムとして、ヨーロッパ地域において採用されているＧＳＭの採用が検討されている。ＧＳＭは、携帯電話機毎に電話番号等を登録する必要がないシステムであり、各個人（加入者）が加入者に関する情報が記憶された加入者識別用モジュール（ＳＩＭ：Subscriber  Identity  Module)  を所持し、携帯電話機を買換えた場合には古い携帯電話機から加入者識別用モジュールを取り外し新しい携帯電話機に自分の加入者識別用モジュールを装着し、また、携帯電話機をレンタルした場合にはレンタルした携帯電話機に自分の加入者識別用モジュールを装着し、この状態で買換えた又はレンタルした携帯電話機が自分の携帯電話機として使用可能となるシステムである。
【０００３】
この加入者識別用モジュールとしては、サイズが小さくて済む、例えば、メモリを含む集積回路が内蔵された加入者識別用カードが使用されることが検討されている。この加入者識別用カードは、約２５ｍｍ×１５ｍｍのサイズである。
【０００４】
一方、携帯電話機としては、厚さが厚くならないこと、加入者識別用カードの挿入抜去が容易であること等が要望される。
【０００５】
また、携帯電話機に装着されるカードとしては、加入者識別用カードの他に、加入者識別情報や課金情報等の加入者にとって重要な情報が書き込まれた状態で使用されるものもある。このような携帯電話用情報カードについては、プライバシー保守の意味で、携帯電話機から簡単に挿抜されるものは望ましくない。携帯電話機はこの要求を満たすものであることが要求される。
【０００６】
本明細書では、携帯電話機に装着されるカードを「携帯電話用情報カード」という。携帯電話用情報カードとは、携帯電話機に装着されるカード一般をいい、上記の加入者識別用カード、及び加入者識別情報以外の情報が書き込まれているカードを包含する。
【背景技術】
【０００７】
図１５（Ａ），（Ｂ）は、特開平８−２６５４０４号公報に記載されている構成であり、ＧＳＭに適用される従来の携帯電話機１０を示す。携帯電話機１０は、背面にバッテリーパック１１が装着される構成である。１２は加入者識別用カード装着機構であり、携帯電話機１０の背面のバッテリーパック装着部１３の底面の部分、即ち、装着されたバッテリーパック１１の裏側の部分に組み込んである。バッテリーパック装着部１３の底板１４には、矩形の開口１５が形成してある。
【０００８】
この加入者識別用カード装着機構１２は、大略、ハウジング２０とホルダ２１とよりなる。ハウジング１５は、携帯電話機１０の内部に固定してあり、上記開口１５に臨んでいる。ホルダ２１は、ハウジング１５にヒンジで連結されている。
【０００９】
加入者識別用カード２２は、図１５（Ｂ）に示すように、ホルダ２１を回動させて起こし、加入者識別用カード２２を起こしたホルダ２１内に挿入し、ホルダ２１を押し下げて回動させ、開口１５を通ってハウジング２０と嵌合させることによって装着される。
【００１０】
また、上記と逆の操作をすることによって、装着されている加入者識別用カード２２が取り出される。即ち、装着されているバッテリーパック１１を取り外さなければ、装着されている加入者識別用カード２２が取り出させない構成となっている。
【先行技術文献】
【特許文献】
【００１１】
【特許文献１】特開平８−２６５４０４号公報
【発明の概要】
【発明が解決しようとする課題】
【００１２】
携帯電話機１０の背面のバッテリーパック装着部１３は少し凹ませてあることもあって、携帯電話機１０のうちバッテリーパック装着部１３に対向する部分１６の内部には回路基板、テンキー等が隙間無く組み込まれており、新しい機構を組み込む余裕はない。上記の加入者識別用カード装着機構１２はこの部分１６に組み込まれているため、加入者識別用カード装着機構１２は、加入者識別用カード装着機構１２自体の厚さｔ１を増やして組み込んである。よって、携帯電話機の厚さｔ３は、プリント配線基板ユニット、テンキー等を組み込むのに元々必要な厚さｔ２に加入者識別用カード装着機構１２自体の厚さｔ１がまるまる加算された厚さとなっている。よって、加入者識別用カード装着機構１２は携帯電話機の小型化の弊害となり、従来の携帯電話機１０は厚さｔ３が大きくなってしまっていた。
【００１３】
そこで、本発明は、上記課題を解決した携帯電話機を提供することを目的とする。
【課題を解決するための手段】
【００１４】
請求項１の発明は、バッテリーパックが取付けられるバッテリーパック装着部と、前記バッテリーパック装着部の底面の側壁とを有し、前記側壁は、携帯電話用情報を記憶するカード部材が挿入されるカード部材挿入開口があり、前記カード部材が、前記バッテリーパック装着部側から前記カード部材挿入開口を通して挿入されて前記バッテリーパックと重ならない位置まで装着され、且つ、前記バッテリーパック装着部に前記バッテリーパックが装着された場合に、前記カード部材挿入開口に対し前記カード部材を挿脱不可とする構成としたことを特徴とする。
【発明の効果】
【００１５】
請求項１の発明によれば、携帯電話用情報を記憶するカード部材が、バッテリーパックが取付けられるバッテリーパック装着部の底面の側壁に、この側壁に対して、バッテリバックと重ならない位置までスライド挿入される構成であり、バッテリーパック装着部の底面の側壁は携帯電話機の内部のなかでも空間的な余裕のある部分であり、カード部材が装着される部分を携帯電話機の厚さを増やさずに比較的無理無く設けることが出来、カード部材を有する携帯電話機を薄型に構成することが出来る。
【図面の簡単な説明】
【００１６】
【図１】本発明の一実施例になる携帯電話機を示す図である。
【図２】図１の携帯電話機の分解斜視図である。
【図３】図１（Ｂ）中、矢印IIIの方向からみた図である。
【図４】図１及び図２中、加入者識別用カード装着機構を示す斜視図である。
【図５】カードホルダを下面側から見上げて示す斜視図である。
【図６】カードが装着された状態の加入者識別用カード装着機構を示す図である。
【図７】図３及び図５中、検出スイッチを示す図である。
【図８】カードホルダを抜き出す操作を示す図である。
【図９】カードホルダの装着操作を示す図である。
【図１０】加入者識別用カード装着機構の別の例を示す図である。
【図１１】図１０の加入者識別用カード装着機構が組み込まれている状態を示す図である。
【図１２】カードホルダを表裏反転した状態で示す図である。
【図１３】ハウジングを示す図である。
【図１４】検出スイッチの変形例を示す図である。
【図１５】従来の携帯電話機を示す図である。
【発明を実施するための形態】
【００１７】
以下、発明の実施例について説明する。
【実施例１】
【００１８】
図１（Ａ），（Ｂ）及び図２は、本発明の一実施例になるＧＳＭに適用される携帯電話機３０を示す。
【００１９】
携帯電話機３０は、大略、複数のキーが並んでいるキー集合シート３１が組み込まれたフロントケース３２と、アンテナ３７が取り付けられたリアケース３４とが、間に、液晶ユニット３５を一体に有するプリント配線板ユニット３６を挟んで組み合わされてなる構成であり、Ｙ１，Ｙ２方向に細長い形状を有する。プリント配線板ユニット３６に後述するハウジング５１が取り付けてある。Ｙ１方向端にアンテナ３７を有する。携帯電話機３０については、Ｚ２側が前面であり、Ｚ１側が背面である。
【００２０】
携帯電話機３０の前面３０ａには、複数のキー３９が携帯電話機３０の長手方向上略中央からＹ２方向側の部分を占めて設けてある。キー３９の位置よりＹ１方向側の部分に、液晶ユニット３５の表示窓４０とスピーカよりなる受話部４１とが設けてある。キー３９よりＹ２方向側の部分に、マイクロフォンよりなる送話部４２が設けてある。
【００２１】
図３に併せて示すように、携帯電話機３０の背面３０ｂは、長手方向上略中央よりＹ２方向側の部分、即ち、上記のキー３９に対応する部分に、バッテリーパック装着部４５を有する。このバッテリーパック装着部４５に、携帯電話機３０の長さの約半分の長さを有するバッテリーパック４６が装着される。バッテリーパック４６が装着された状態で携帯電話機３０の背面３０ｂが平らな面となるように、バッテリーパック装着部４５は凹状となっており、且つ長手方向上バッテリーパック装着部４５の隣の部分であってバッテリーパック装着部４５よりＹ１方向側の全体を占める部分（バッテリーパック装着隣接部という）４７は、バッテリーパック装着部４５の底面４５ａに対してＺ１方向に隆起した凸となっている。バッテリーパック装着部４５とバッテリーパック装着隣接部４７との境界は、底面４５ａからＺ１方向に垂直に立ち上がった垂直壁４５ｂとなっている。垂直壁４５ｂの下端側には、カードホルダ挿入開口４５ｂ−１が形成してある。カードホルダ挿入開口４５ｂ−１が形成してある位置が垂直壁４５ｂの下端側であるため、図９を参照して後述するように、カードホルダ５２を携帯電話機３０のバッテリーパック装着部４５の底面４５ａ上に置くと、カードホルダ５２はカードホルダ挿入開口４５ｂ−１に対向する。
【００２２】
５０は加入者識別用カード装着機構であり、上記のバッテリーパック装着隣接部４７の内部空間４７ａ内に組み込まれている。このバッテリーパック装着隣接部４７はバッテリーパック装着部４５の底面４５ａに対して隆起した凸となっており、携帯電話機３０の内部のうちでも空間的に比較的余裕のある場所であること、及び、加入者識別用カード装着機構５０自体のサイズが小さいことによって、加入者識別用カード装着機構５０は、携帯電話機３０の厚さを特別に増やさずに携帯電話機３０内に組み込まれている。携帯電話機３０の厚さは、加入者識別用カード装着機構５０が組み込まれていない場合の厚さと略同じであり、ｔ１０である。
【００２３】
次に、図４乃至図６を参照して、加入者識別用カード装着機構５０の構成について説明する。
【００２４】
加入者識別用カード装着機構５０は、ハウジング５１と、加入者識別用カード２２を保持してハウジング５１に装着されるカードホルダ５２とよりなる。この加入者識別用カード装着機構５０については、Ｚ１側が上面、Ｚ２側が下面、Ｙ２側が前面、Ｙ１側が奥部、Ｘ１，Ｘ２が幅方向である。
【００２５】
加入者識別用カード２２は、図５に示すように、メモリを含む集積回路２２ａが内蔵され、下面に６つの電極２２ｂを有し、且つ、向きを決めるための一の面取りコーナ部２２ｃを有する。
【００２６】
カードホルダ５２は、合成樹脂製の成形部品であり、Ｙ１，Ｙ２方向に長い偏平な形状をしている。カードホルダ５２は、下面側に加入者識別用カード収容部５２ａを有し、上面側に片持ちの板ばね部５２ｃを有し、Ｘ１，Ｘ２端側にＹ１，Ｙ２方向に延在するレール部５２ｄ，５２ｅを有する。
【００２７】
加入者識別用カード収容部５２ａは、加入者識別用カード２２に対応する大きさと形状を有し、加入者識別用カード２２の厚さｔ２０に対応する深さａを有し、加入者識別用カードが収まる偏平凹状を有する。加入者識別用カード収容部５２ａは、一の面取りコーナ部２２ａに対応する、斜め部５２ａ−１を有する。この加入者識別用カード収容部５２ａのＸ２側には、成形されてなる合成樹脂製の２つの板ばね５２ａ−２、５２ａ−３が、その自由端が対向する向きでＹ１，Ｙ２方向に整列して形成してある。板ばね５２ａ−２、５２ａ−３はＸ２方向に弾性的に撓む。この板ばね５２ａ−２、５２ａ−３が特許請求の範囲の欄記載の加入者識別用カード押さえ部を構成する。また、加入者識別用カード収容部５２ａの底には、Ｙ１方向端近傍の部位に、加入者識別用カード押し出し用の穴５２ａ−４、５２ａ−５が形成してある。
【００２８】
前面パネル部５２ｂは、中央に、Ｕ字状切欠部５２ｂ−１を有し、且つ、Ｕ字状切欠部５２ｂ−１の両側の部位に、Ｚ１方向に突き出た突部５２ｂ−２、５２ｂ−３を有する。Ｕ字状切欠部５２ｂ−１は、後述する取っ手部５２ｃ−３を収める役割を有する。突部５２ｂ−２、５２ｂ−３は、後述する中央逆Ｕ字状フレーム部５１ａ−４ａに当たる。
【００２９】
片持ちの板ばね部５２ｃは、カードホルダ５２の成形時に一体成形されたものであり、Ｘ１，Ｘ２の幅方向の中央にカードホルダ５２の上面を切り起こした状態で形成されており、幅ｗ１がカードホルダ５２の幅ｗ２の約１／４であり、カードホルダ５２のＹ１，Ｙ２方向の略中央が付け根部５２ｃ−１であり、ここから少しＺ１方向に寸法ｂ立ち上がってＹ２方向に延在しており、前面パネル部５２ｂまで到っている。片持ちの板ばね部５２ｃは、上面の略中央にＺ１方向に突き出た係止爪５２ｃ−２を有し、且つ、先端に取っ手部５２ｃ−３を有する。係止爪５２ｃ−２は、Ｙ１方向側に傾斜面５２ｃ−２ａを有し、Ｙ２方向側に垂直面５２ｃ−２ｂを有する。取っ手部５２ｃ−３は、上面のＹ１方向側に、凹部５２ｃ−３ａを有し、操作者の手のひとさし指の指先が引っ掛かり易いようになっている。また、取っ手部５２ｃ−３は、前面パネル部５２ｂのＵ字状切欠部５２ｂ−１内に位置している。
【００３０】
取っ手部５２ｃ−３がＺ２方向に押されると、片持ちの板ばね部５２ｃが撓み、係止爪５２ｃ−２がＺ２方向に変位する。片持ちの板ばね部５２ｃはカードホルダ５２の上面より寸法ｂ上方の位置にあり、よって、片持ちの板ばね部５２ｃを撓ませても、片持ちの板ばね部５２ｃは加入者識別用カード収容部５２ａ内に入り込まない。
【００３１】
ハウジング５１は、合成樹脂製の成形部品であるハウジング本体５１ａと、ハウジング本体５１ａに固定してある複数の端子部材５１ｂと、ハウジング本体５１ａに設けてある検出スイッチ５１ｃとよりなり、カードホルダ５２よりひとまわり大きいサイズである。
【００３２】
ハウジング本体５１ａは、底板部５１ａ−１と、この底板部５１ａ−１のＸ１，Ｘ２の両側のＺ１方向に立ち上がっている側壁部５１ａ−２，５１ａ−３と、底板部５１ａ−１のＹ２方向端側の逆Ｕ字状のフレーム部５１ａ−４とよりなる。側壁部５１ａ−２，５１ａ−３のうち底板部５１ａ−１に臨む部位には、ガイド溝５１ａ−５，５１ａ−６が形成してある。底板部５１ａ−１の上面側に、両側を側壁部５１ａ−２，５１ａ−３によって仕切られた偏平な空間であるカードホルダ収容部５１ｄが形成してある。逆Ｕ字状のフレーム部５１ａ−４は、カードホルダ収容部５１ｄへの入口５１ｅを形成する。底板部５１ａ−１は下面に、ハウジング５１の取付け位置を決めるための２つボス５１ａ−１ａ，５１ａ−１ｂを有する。
【００３３】
逆Ｕ字状のフレーム部５１ａ−４は、中央に、更に一段高い中央逆Ｕ字状フレーム部５１ａ−４ａを有する。この中央逆Ｕ字状フレーム部５１ａ−４ａは、カードホルダ５２の片持ちの板ばね部５２ｃが通過するようにするために形成してある。また、この中央逆Ｕ字状フレーム部５１ａ−４ａの両側の立ち上がり部５１ａ−４ｂ，５１ａ−４ｃは、カードホルダ５２が挿入されたときに、上記の突部５２ｂ−２、５２ｂ−３を受け止める。また、中央逆Ｕ字状フレーム部５１ａ−４ａの横桟部５１ａ−４ｄのＹ１方向端側には、上記の係止爪５２ｃ−２の大きさに対応した大きさのＵ字状の切欠部５１ａ−４ｅが形成してある。この横桟部５１ａ−４ｄは、係止爪５２ｃ−２が係止される被係止部として機能する。
【００３４】
６つの端子部材５１ｂは、上記底板部５１ａ−１の上面５１ａ−１ａに固定してあり、一端側の円弧状の端子部５１ｂ−１が加入者識別用カード２２の６つの電極２２ｂに対応する配置となっており、他端の端子部５１ｂ−２が底板部５１ａ−１のＹ１、Ｙ２方向の端のから外側に延びている。端子部５１ｂ−２の高さは、底板部５１ａ−１の下面５１ａ−１ｂと同じ高さである。
【００３５】
検出スイッチ５１ｃは、図７（Ａ）に併せて示すように、第１の接点部材５１ｃ−１とＬ字状の第２の接点部材５１ｃ−２とよりなり、常閉形のスイッチである。第１の接点部材５１ｃ−１と第２の接点部材５１ｃ−２とは、共に底板部５１ａ−１の下面５１ａ−１ｂに固定してある。第１の接点部材５１ｃ−１は、Ｙ１方向端側を固定してあり、先端側は弾性的に撓み得る状態にある。第１の接点部材５１ｃ−１は先端側に、Ｚ１方向に凸の凸部５１ｃ−１ａを有する。この凸部５１ｃ−１ａが、底板部５１ａ−１の開口窓５１ａ−１ｃを通して底板部５１ａ−１の上面５１ａ−１ａより少し突き出ている。開口窓５１ａ−１ｃ（凸部５１ｃ−１ａ）は、カードホルダ５２がハウジング５１内に挿入されたときに、カードホルダ５２ではなく、カードホルダ５２に保持された加入者識別用カード２２によって押される位置に配置してある。
【００３６】
加入者識別用カード２２が装着されていない場合には、図７（Ａ）に示すように、第１の接点部材５１ｃ−１が第２の接点部材５１ｃ−２と接触してあり、検出スイッチ５１ｃは閉成している。
【００３７】
プリント配線板ユニット３６は、上記構成のハウジング５１を取付けるために、図２に示すように、プリント配線板ユニット３６の内部から引き出されたフレキシブルプリント板６０が折り返されてプリント配線板ユニット３６の上面に、接着してある。このフレキシブルプリント板６０に上記の端子部５１ｂ−２に対応した配置でランド６１が形成してある。また、プリント配線板ユニット３６の上面及びフレキシブルプリント板６０には、上記のボス５１ａ−１ａ，５１ａ−１ｂに対応して、穴部６２が形成してある。
【００３８】
ハウジング５１は、ボス５１ａ−１ａ，５１ａ−１ｂを穴部６２に嵌合して位置決めされて、且つ、端子部５１ｂ−２をランド６１に半田付けされて、プリント配線板ユニット３６の上面に搭載されて、入口５１ｅがＹ２側を向いた向きで固定してある。
【００３９】
プリント配線板ユニット３６がフロントケース３２とリアケース３４とで覆われた状態で、ハウジング５１は、バッテリーパック装着隣接部４７内に収まり、入口５１ｅが、垂直壁４５ｂのカードホルダ挿入開口４５ｂ−１に対向している。
【００４０】
図３に示すように、垂直壁４５ｂには、カードホルダ挿入開口４５ｂ−１と指先入れ凹部４５ｂ−２とが形成してある。カードホルダ挿入開口４５ｂ−１は、カードホルダ５２の前面パネル部５２ｂに対応する形状を有する。指先入れ凹部４５ｂ−２は、操作者の手のひとさし指の指先が入り込んで取っ手部５２ｃ−３に引っ掛かり易いようするために形成してあり、カードホルダ挿入開口４５ｂ−１の直ぐ上側に位置して、Ｙ１方向の凹んで、且つ、凹み寸法がＺ２方向に変位するにつれて増える形状を有する。
【００４１】
カードホルダ５２がハウジング５１内に装着されている状態では、図３に示すように、前面パネル部５２ｂがカードホルダ挿入開口４５ｂ−１に収まっており、且つ、取っ手部５２ｃ−３が指先入れ凹部４５ｂ−２の下端に突き出している。
【００４２】
次に、例えば携帯電話機をレンタルした操作者が自己の加入者識別用カード２２をレンタルした携帯電話機３０に装着するときの操作及び動作について説明する。
【００４３】
操作は概略次の手順で行う。（１）携帯電話機３０からバッテリーパック４６を取り外し、（２）空のカードホルダ５２を抜き出し、（３）抜いた空のカードホルダ５２に自己の加入者識別用カード２２を装着し、（４）自己の加入者識別用カード２２を装着したカードホルダ５２を差し込んでハウジング５１内に装着し、（５）バッテリーパック４６を取り付ける。
【００４４】
次に、上記各操作及び動作について説明する。
【００４５】
（１）携帯電話機３０からバッテリーパック４６を取り外す。
【００４６】
携帯電話機３０からバッテリーパック４６を取り外すと、図３に示すように、取っ手部５２ｃ−３が露出する。
【００４７】
（２）空のカードホルダ５２を引き出して抜き出す。
【００４８】
図８に示すように、手のひとさし指の指先７０を指先入れ凹部４５ｂ−２に入れ、最初に矢印７１で示すようにＺ２方向に押し、次いで矢印７２で示すようにＹ２方向に引く。最初の押し下げる操作で、取っ手部５２ｃ−３をＺ２方向に押し下げられ、図６（Ｄ）に示すように、片持ちの板ばね部５２ｃがＺ２方向に撓み、係止爪５２ｃ−２が中央逆Ｕ字状フレーム部５１ａ−４ａから外れ、カードホルダ５２のハウジング５１に対するロックが解除される。また、手のひとさし指の指先７０が取っ手部５２ｃ−３の凹部５２ｃ−３ａにしっかり掛かる。続いての引く操作で、係止爪５２ｃ−２が中央逆Ｕ字状フレーム部５１ａ−４ａの下側をくぐり抜けてカードホルダ５２がハウジング５１外に引き出される。
【００４９】
よって、手のひとさし指一本の操作で、カードホルダ５２が引き出される。
【００５０】
（３）抜いた空のカードホルダ５２に自己の加入者識別用カード２２を装着する。
【００５１】
図５に示す向きとは逆の向き、即ち、加入者識別用カード収容部５２ａが上を向く向きとして、加入者識別用カード収容部５２ａに自己の加入者識別用カード２２を軽く押し込んで、板ばね５２ａ−２、５２ａ−３を弾性的に撓ませて装着する。ここで、カードホルダ５２が携帯電話機３０から分離された状態にあり、作業はカードホルダ５２を手元に持ち来して行うため、自己の加入者識別用カード２２を加入者識別用カード収容部５２ａに装着する作業はし易い。
【００５２】
なお、加入者識別用カード２２の面取りコーナ部２２ｃ及び加入者識別用カード収容部５２ａの斜め部５２ａ−１によって、加入者識別用カード２２は正常の向きで装着される。また、加入者識別用カード２２は板ばね５２ａ−２、５２ａ−３によって一側に押しつけられており、カードホルダ５２を反転して加入者識別用カード収容部５２ａが下向きとなっても加入者識別用カード２２はカードホルダ５２から脱落しない。
【００５３】
（４）カードホルダ５２を差し込んでハウジング５１内に装着する。
【００５４】
図９に示すように、カードホルダ５２をカードホルダ挿入開口４５ｂ−１に対向するようにして、携帯電話機３０のバッテリーパック装着部４５の底面４５ａ上に置き、Ｙ１方向にスライドさせて、カードホルダ挿入開口４５ｂ−１を通してハウジング５１内に挿入する。カードホルダ５２をバッテリーパック装着部４５の底面４５ａ上に置くとカードホルダ５２がカードホルダ挿入開口４５ｂ−１に対向するため、カードホルダ５２をカードホルダ挿入開口４５ｂ−１に対向させる操作がし易く、よって、カードホルダ５２をハウジング５１内に装着する操作はし易い。
【００５５】
カードホルダ５２は、レール部５２ｄ，５２ｅがハウジング５１のガイド溝５１ａ−５，５１ａ−６に嵌合して、案内されつつ、且つＸ１，Ｘ２方向及びＺ１，Ｚ２方向の位置を規制されつつ挿入される。カードホルダ５２は、図３に示すように、取っ手部５２ｃ−３がカードホルダ挿入開口４５ｂ−１内に嵌合するまで挿入される。
【００５６】
カードホルダ５２はレール部５２ｄ，５２ｅがガイド溝５１ａ−５，５１ａ−６に嵌合していることによって、Ｚ１方向には動けないようになっており、加入者識別用カード２２はカードホルダ５２によってＺ１方向には動けないようになっており、加入者識別用カード２２はＺ１方向には動けない状態にある。
【００５７】
図６（Ｅ）に示すように、係止爪５２ｃ−２が中央逆Ｕ字状フレーム部５１ａ−４ａに当たると、傾斜面５２ｃ−２ａが中央逆Ｕ字状フレーム部５１ａ−４ａによって案内されて、片持ちの板ばね部５２ｃがＺ２方向に撓まされ、係止爪５２ｃ−２は中央逆Ｕ字状フレーム部５１ａ−４ａの下側に入り込む。即ち、取っ手部５２ｃ−３をわざわざ押し下げなくても、カードホルダ５２をＹ１方向に押すだけで、カードホルダ５２はハウジング５１内に挿入される。これによっても、カードホルダ５２をハウジング５１内に装着する操作はし易い。
【００５８】
カードホルダ５２がハウジング５１内に最終位置まで挿入されると、係止爪５２ｃ−２が中央逆Ｕ字状フレーム部５１ａ−４ａを潜り抜け、片持ちの板ばね部５２ｃが弾性復帰し、係止爪５２ｃ−２の垂直面５２ｃ−２ｂが中央逆Ｕ字状フレーム部５１ａ−４ａと係合し、カードホルダ５２はハウジング５１に対してロックされ、抜け出ない状態となる。
【００５９】
ここで、また、カードホルダ５２がハウジング５１内に最終位置まで挿入されると、加入者識別用カード２２の６つの電極２２ｂが６つの端子部材５１ｂの円弧状の端子部５１ｂ−１と接触する。また、図７（Ｂ）に示すように、加入者識別用カード２２の下面２２ｅが凸部５１ｃ−１ａを押し下げ、第１の接点部材５１ｃ−１が第２の接点部材５１ｃ−２から離れ、検出スイッチ５１ｃが開成され、加入者識別用カード２２が装着されたことの情報が携帯電話機３０の所定の回路に供給される。ここで、加入者識別用カード２２は上記のようにＺ１方向には動けない状態にあるため、電極２２ｂと端子部５１ｂ−１との接触及び検出スイッチ５１ｃの開成は確実になされる。
【００６０】
（５）バッテリーパック４６を取り付ける。
【００６１】
携帯電話機３０にバッテリーパック４６を取り付けると、携帯電話機３０は加入者識別用カード２２の所有者が使用出来る状態となる。検出スイッチ５１ｃが開成されているため、携帯電話機３０は正常に動作する。
【００６２】
また、携帯電話機３０にバッテリーパック４６を取り付けると、バッテリーパック４６によって、取っ手部５２ｃ−３が隠される。よって、バッテリーパック４６が装着されている場合には加入者識別用カードが取り外されないため、誤って加入者識別用カードを離脱させる事故は起きない。
【００６３】
なお、空のカードホルダ５２が装着されている状態では、検出スイッチ５１ｃが閉成しているため、携帯電話機３０は始めから動作しない。よって、従来のように携帯電話機３０が途中まで意味の無い動作を行う不都合は起きない。
【００６４】
加入者識別用カード２２が装着されているカードホルダ５２の取り出しは、上記と同様に行われる。図６（Ｃ）に示すように、片持ちの板ばね部５２ｃはカードホルダ５２内の加入者識別用カード２２上面より比較的大きい寸法ｃ上方の位置にあるため、片持ちの板ばね部５２ｃを下方に撓ませても、片持ちの板ばね部５２ｃは加入者識別用カード２２には当たらず、よって、係止爪５２ｃ−２は中央逆Ｕ字状フレーム部５１ａ−４ａから確実に外れる。また、カードホルダ５２から加入者識別用カード２２を取り外す際には、穴５２ａ−４、５２ａ−５にボールペン等の先を差し込んで加入者識別用カード２２を押すことによって、加入者識別用カード２２は簡単に取り外される。
【００６５】
次に、別の加入者識別用カード装着機構５０Ａの構成について、図１０乃至図１３を参照して説明する。
【００６６】
加入者識別用カード装着機構５０Ａは、ハウジング５１Ａと、加入者識別用カード２２を保持してハウジング５１Ａに装着されるカードホルダ５２Ａとよりなる。加入者識別用カード装着機構５０Ａは、カードホルダ５２Ａが取っ手部をＸ１，Ｘ２側に有する構成である以外は、上記の加入者識別用カード装着機構５０と実質上同じ構成である。
【００６７】
カードホルダ５２Ａは、図１２（Ａ）に示すように、前面パネル部５２ＡｂのＸ１，Ｘ２側に取っ手部５２Ａｃ−３ａ，５２Ａｃ−３ｂを有する。取っ手部５２Ａｃ−３ａは、ばね部５２Ａに設けてある。ばね部５２Ａの先端に係止爪５２Ａｃ−２を有する。また、ばね部５２Ａの撓む方向は、携帯電話機３０Ａの幅方向である。カードホルダ５２Ａはレール部５２Ａｄ，５２ｅＡがハウジング５１Ａのガイド溝５１Ａａ−５，５１Ａａ−６に案内されて挿入され、係止爪５２Ａｃ−２がハウジング５１Ａの凹部５１Ａに嵌合してロックされる。
【００６８】
携帯電話機３０Ａのバッテリーパック装着部４５Ａの垂直壁４５Ａｂには、カードホルダ挿入開口４５Ａｂ−１が形成してある。垂直壁４５Ａｂには、カードホルダ挿入開口４５Ａｂ−１のＸ１，Ｘ２側に指先入れ凹部４５Ａｂ−２ａ，４５Ａｂ−２ｂが形成してある。
【００６９】
カードホルダ５２Ａは、図１１に示すように、手の親指７５を指先入れ凹部４５Ａｂ−２ｂに入れ、ひとさし指の指先７０を指先入れ凹部４５Ａｂ−２ｂａに入れ、取っ手部５２Ａｃ−３ａ，５２Ａｃ−３ｂを軽く挟み、ばね部５２Ａを撓ませて係止爪５２Ａｃ−２を凹部５１Ａｐから抜け出させ、Ｙ２方向に引くことによってハウジング５１Ａから引き出される。途中で持ちかえることなく、取っ手部５２Ａｃ−３ａ，５２Ａｃ−３ｂを挟んだまま、カードホルダ５２Ａはテーブル上まで持ち来たされる。
【００７０】
他の操作は、上記実施例になる加入者識別用カード装着機構５０と同じであり、その説明は省略する。
【００７１】
図１４（Ａ）乃至（Ｃ）は、検出スイッチの変形例を示す。検出スイッチ５１Ａｃは、第１の接点部材１０１と第２の接点部材１０２とよりなり、図１４（Ａ）、（Ｂ）に示すように、常閉形のスイッチであり、加入者識別用カード装着機構５０のＹ１方向端に設けてある。検出スイッチ５１Ａｃは、加入者識別用カード２２が収まっているカードホルダがハウジング内に装着されたときに、図１４（Ｃ）に示すように、加入者識別用カード２２のＹ１方向の端面２２ｆで押されて開成される。
【００７２】
この検出スイッチ５１Ａｃを加入者識別用カード装着機構５０のＹ１方向端に設けた構成は、例えば、加入者識別用カードの電極の数が例えば８個であり、ハウジングの底面に設ける端子部材の数が多く、ハウジングの底面に余裕が無くなった場合に有効である。
【００７３】
なお、上記実施例は、加入者識別用カードを例にとって説明したが、本発明は、加入者識別用カードに限らず、他のカード、即ち、加入者識別情報以外の情報が書き込まれているカードにも適用出来る。即ち、本発明は携帯電話用情報カードに適用出来る。
【符号の説明】
【００７４】
２２  加入者識別用カード
３０  携帯電話機
４５  バッテリーパック装着部
４５ｂ  垂直壁
４５ｂ−１  カードホルダ挿入開口
４６  バッテリーパック
４７  バッテリーパック装着隣接部
５０、５０Ａ  加入者識別用カード装着機構
５１，５１Ａ  ハウジング
５２，５２Ａ  カードホルダ
５２ａ  加入者識別用カード収容部
５２ｃ  片持ちの板ばね部
５２ｃ−２，５２Ａｃ−２  係止爪
５２ｃ−３  取っ手部
【図２】
2010022024.tif 000003
【図３】
2010022024.tif 000004
【図４】
2010022024.tif 000005
【図５】
2010022024.tif 000006
【図６】
2010022024.tif 000007
【図７】
2010022024.tif 000008
【図８】
2010022024.tif 000009
【図９】
2010022024.tif 000010
【図１０】
2010022024.tif 000011
【図１１】
2010022024.tif 000012
【図１２】
2010022024.tif 000013
【図１３】
2010022024.tif 000014
【図１４】
2010022024.tif 000015
【図１５】
2010022024.tif 000016
【図１】
2010022024.tif 000017